(57)【要約】【目的】  排水トラップにおいて、ぬめりの発生を簡便に抑制する。【構成】  封水部（５）に陰陽一対の電極が配設される。【選択図】図１
2005097831.tif 000002
【特許請求の範囲】
【請求項１】
封水部に陰陽一対の電極が配設されていることを特徴とする排水トラップ。
【請求項２】
陰極が、上方に向かって大気に開放される部位に配置されている請求項１記載の排水トラップ。
【請求項３】
陽極もまた上方に向かって大気に開放される部位に配置されている請求項２記載の排水トラップ。
【発明の詳細な説明】
【技術分野】
【０００１】
この出願の発明は、排水トラップに関するものである。さらに詳しくは、この出願の発明は、ぬめりの発生を簡便に抑制することのできる排水トラップに関するものである。
【背景技術】
【０００２】
キッチン、浴室、トイレ、洗面所等に用いられている排水トラップでは、トラップ本体及びその周辺に汚れが付着し、微生物が繁殖して、いわゆるぬめりが発生するため、これを解消するための方策が様々に考えられている。
【０００３】
たとえば、酸性イオン水の殺菌性を利用し、酸性イオン水をトラップ本体及びその周辺に噴出させ、殺菌洗浄することが提案されている（たとえば、特許文献１参照）。
【特許文献１】実願平４−８６６０２号（実開平６−４６０６９号）のＣＤ−ＲＯＭ
【発明の開示】
【発明が解決しようとする課題】
【０００４】
しかしながら、酸性イオン水の利用は、電気分解装置の使用を前提とするものであり、電気分解装置を別途設ける必要があるという問題がある。また、酸性イオン水をトラップ本体及びその周辺に噴出させるための手段を配設する必要があり、その手段の配設によって排水トラップの構造が複雑化するという問題もあった。
【０００５】
この出願の発明は、このような事情に鑑みてなされたものであり、ぬめりの発生を簡便に抑制することのできる排水トラップを提供することを解決すべき課題としている。
【課題を解決するための手段】
【０００６】
この出願の発明は、上記の課題を解決するものとして、第１には、封水部に陰陽一対の電極が配設されていることを特徴とする排水トラップを提供する。
【０００７】
この出願の発明は、第２には、上記第１の排水トラップおいて、陰極が、上方に向かって大気に開放される部位に配置されていることを提供する。
【０００８】
この出願の発明は、第３には、上記第２の排水トラップにおいて、陽極もまた上方に向かって大気に開放される部位に配置されていることを提供する。
【発明の効果】
【０００９】
この出願の発明の第１の排水トラップによれば、ぬめりの発生が簡便に抑制される。
【００１０】
この出願の発明の第２の排水トラップによれば、上記第１の効果に加え、陰極から発生するガスを大気へ逃がすことができ、安全となる。
【００１１】
この出願の発明の第３の排水トラップによれば、上記第２の効果に加え、陽極から発生するガスも大気へ逃がすことができ、安全性が高まる。
【発明を実施するための最良の形態】
【００１２】
以下、図面に沿ってこの出願の発明の排水トラップについてさらに詳しく説明する。
【００１３】
図１は、この出願の発明の排水トラップの一実施形態を示した断面図である。
【００１４】
図１に示した排水トラップでは、トラップ本体（１）にじょうご状のトラップカバー（２）が上方より着脱自在に設けられ、周縁のシール部（３）においてシールされ、下部の空気が上部に漏れないようにされている。トラップカバー（２）にはフィルター（４）が取り付けられ、封水部（５）への物の落下を防止するとともに、封水部（５）を目隠ししている。トラップカバー（２）の上方のトラップ本体（１）の上部には網カゴ（６）が設けられている。
【００１５】
そして、排水トラップには、封水部（５）に電極部（７）が配設されている。電極部（７）は、図２の要部断面図に示したように、陰陽一対の電極（８）（９）を備えている。この出願の発明の排水トラップでは、上記のとおり、封水部（５）に陰陽一対の電極（８）（９）が配設されている。両電極（８）（９）に電位をかけることにより、封水部（５）及びその周辺に発生しやすいぬめりを抑制することができる。すなわち、陽極に銀、銅等を用いる場合には、封水部（５）内の水に銀イオン、銅イオン等を溶出させることができ、銀イオン、銅イオン等による殺菌が可能となる。また、電極（８）（９）間に微弱電流を流すことで微生物の繁殖を抑えることができる。さらに、電気分解を行うこともでき、この場合、封水部（５）内の水に含まれる塩素成分から次亜塩素酸を発生させ、次亜塩素酸による殺菌が可能となる。電極（８）（９）へ供給する電力は、たとえば、給水管に水力発電機を設け、カランの操作により給水管に水道水が流れる際に水力発電機において発生する電力を利用することができる。
【００１６】
このように、この出願の発明の排水トラップは、封水部（５）に陰陽一対の電極（８）（９）が配設されているため、ぬめりの発生を簡便に抑制することができる。
【００１７】
この出願の発明の排水トラップでは、図３に示したように、陰極（１０）を上方に向かって大気に開放される部位に配置することができる。陽極（１１）に銀、銅等を用いる場合、陰極（１０）からは水素ガスが発生する。図３に示した排水トラップでは、陰極（１０）で発生する水素ガスを大気へと抜くことができ、封水部（５）内に溜まることはなく、安全である。なお、水素ガスの発生量は微量であり、大気への開放は安全である。
【００１８】
また、この出願の発明の排水トラップでは、図４に示したように、陽極（１１）もまた上方に向かって大気に開放される部位に配置することができる。封水部（５）中の水に含まれる塩素成分を電気分解し、次亜塩素酸を発生させて殺菌する場合、陽極（１１）からは塩素ガスが発生する。図４に示した排水トラップでは、陽極（１１）が上方に向かって大気に開放される部位に配置されているため、電気分解により発生した塩素ガスは大気へ逃げ、封水部（５）内に溜まることはない。なお、当然のことであるが、陽極（１１）に銀、銅等を用いる場合、陰極（１０）は上方に向けて大気に開放される部位に配置されているため、陰極（１０）で発生する水素ガスも大気へ抜くことができる。このように、図４に示した排水トラップは、安全性がより高まっている。
【００１９】
この出願の発明の排水トラップでは、トラップ方式は以上の実施形態に制限されない。
【００２０】
たとえば図５に示したように、わん（１２）がトラップ本体（１）内に配設されたわん型トラップとすることもできる。この出願の発明の排水トラップでは、図５に示したようなわん型トラップにおいても、陰極（１０）を上方に向かって大気に開放される部位に配置したり、図６に示したように、陽極（１１）をも上方に向かって大気に開放される部位に配置したりすることができる。
【００２１】
また、トラップ方式としては、図７に示したようなＳ型トラップとすることもできる。この出願の発明の排水トラップでは、Ｓ型トラップの場合にも、陰極（１０）を上方に向かって大気に開放される部位に配置したり、図８に示したように、陽極（１１）をも上方に向かって大気に開放される部位に配置したりすることができる。
【産業上の利用可能性】
【００２２】
以上詳しく説明したとおり、この出願の発明によって、排水トラップにおいて、ぬめりの発生を簡便に抑制することができる。
【図面の簡単な説明】
【００２３】
【図１】この出願の発明の排水トラップの一実施形態を示した断面図である。
【図２】電極部の構成を示した要部断面図である。
【図３】この出願の発明の排水トラップの一実施形態を示した断面図である。
【図４】この出願の発明の排水トラップの一実施形態を示した断面図である。
【図５】この出願の発明の排水トラップの一実施形態を示した断面図である。
【図６】この出願の発明の排水トラップの一実施形態を示した断面図である。
【図７】この出願の発明の排水トラップの一実施形態を示した断面図である。
【図８】この出願の発明の排水トラップの一実施形態を示した断面図である。
【符号の説明】
【００２４】
１    トラップ本体
２    トラップカバー
３    シール部
４    フィルター
５    封水部
６    網カゴ
７    電極部
８、９    電極
１０    陰極
１１    陽極
１２    わん
【図１】
2005097831.tif 000003
【図２】
2005097831.tif 000004
【図３】
2005097831.tif 000005
【図４】
2005097831.tif 000006
【図５】
2005097831.tif 000007
【図６】
2005097831.tif 000008
【図７】
2005097831.tif 000009
【図８】
2005097831.tif 000010